(57)【特許請求の範囲】
【請求項１】
インテリジェントモニタリングシステムとマイクロモニタリングシステムとを含み、そのうち、前記マイクロモニタリングシステムは前記インテリジェントモニタリングシステムに接続され、且つ前記マイクロモニタリングシステムには採集装置が接続され、
前記採集装置は人体データ情報の採集に用いられ、
前記マイクロモニタリングシステムは、前記インテリジェントモニタリングシステムが完全に起動するか否かの判断に用いられ、前記インテリジェントモニタリングシステムが完全に起動すると判断した場合、前記マイクロモニタリングシステムは前記採集装置により採集された人体データ情報を前記インテリジェントモニタリングシステムに伝送し、前記インテリジェントモニタリングシステムが完全に起動しないと判断した場合、前記マイクロモニタリングシステムは前記採集装置により採集された人体データ情報に対して処理を行い、且つ処理した人体データを表示終端に伝送し、
前記マイクロモニタリングシステムは、前記採集装置により採集された前記人体データ情報を前記インテリジェントモニタリングシステムに伝送した後、前記インテリジェントモニタリングシステムにより伝送されてきた待機制御信号が受信されたか否かを検出し、
前記待機制御信号が受信されたことが検出された場合、前記マイクロモニタリングシステムは待機状態に入り、
前記待機制御信号が受信されないことが検出された場合、前記マイクロモニタリングシステムは前記採集装置により採集された前記人体データ情報を引き続き前記インテリジェントモニタリングシステムに伝送する
ことを特徴とする健康モニタリングシステム。
【請求項２】
前記マイクロモニタリングシステムには、第１検出モジュール、第１伝送モジュールと第２伝送モジュールが含まれ、前記第１検出モジュールは前記第１伝送モジュールと第２伝送モジュールに接続され、
前記第１検出モジュールは、前記第１検出モジュールが前記インテリジェントモニタリングシステムにより送信されてきた完全起動信号を受信するか否かに用いられ、
前記第１伝送モジュールは、前記第１検出モジュールが前記完全起動信号を受信しないことを前記第１検出モジュールにて検出した場合、前記採集装置により採集された人体データ情報に対して処理を行い、且つ処理した人体データを表示終端に伝送するということに用いられ、
前記第２伝送モジュールは、前記第１検出モジュールが前記完全起動信号を受信したことを前記第１検出モジュールにて検出した場合、前記採集装置により採集された人体データ情報を前記インテリジェントモニタリングシステムに伝送する
ことを特徴とする請求項１に記載の健康モニタリングシステム。
【請求項３】
前記マイクロモニタリングシステムには判断モジュールがさらに含まれ、前記判断モジュールは前記第１検出モジュールと第１伝送モジュールに接続され、
前記判断モジュールは、前記第１伝送モジュールが処理した人体データ情報を表示終端に送信した後、前記採集装置が人体データ情報の採集を引き続き行うか否かを判断するのに用いられ、
前記採集装置が人体データ情報の採集を引き続き行うと判断した場合、前記第１検出モジュールは、前記インテリジェントモニタリングシステムにより送信されてきた完全起動信号を受信するか否かを検出し、
前記採集装置が人体データ情報の採集を引き続き行わないと判断した場合、マイクロモニタリングシステムは待機状態に入る
ことを特徴とする請求項２に記載の健康モニタリングシステム。
【請求項４】
前記マイクロモニタリングシステムはシングルチップコンピューターを含み、前記シングルチップコンピューターはＩ／Ｏインターフェースにより前記採集装置に接続され、前記シングルチップコンピューターはＩＩＣバスまたはＳＰＩバスにより前記インテリジェントモニタリングシステムに接続される
ことを特徴とする請求項１に記載の健康モニタリングシステム。
【請求項５】
インテリジェントモニタリングシステムと、採集装置に接続されるマイクロモニタリングシステムとを含む、健康モニタリングシステムのデータ採集方法であって、
前記マイクロモニタリングシステムは、前記インテリジェントモニタリングシステムが完全に起動するか否かを判断するステップと、
前記インテリジェントモニタリングシステムが完全に起動すると判断した場合、前記マイクロモニタリングシステムは前記採集装置により採集された人体データ情報を前記インテリジェントモニタリングシステムに伝送するステップと、
前記インテリジェントモニタリングシステムが完全に起動しないと判断した場合、前記マイクロモニタリングシステムは前記採集装置により採集された人体データ情報に対して処理を行い、且つ処理した人体データを表示終端に伝送するステップと、が含まれ、
前記マイクロモニタリングシステムが採集装置により採集された人体データ情報を前記インテリジェントモニタリングシステムに伝送するステップの後には、
前記マイクロモニタリングシステムが前記インテリジェントモニタリングシステムにより送信されてきた待機制御信号を受信するか否かを検出するステップと、
前記マイクロモニタリングシステムが前記待機制御信号を受信することを検出した場合、前記マイクロモニタリングシステムは待機状態に入るステップと、
前記マイクロモニタリングシステムが前記待機制御信号を受信しないことを検出した場合、前記マイクロモニタリングシステムが採集装置により採集された人体データ情報を前記インテリジェントモニタリングシステムに伝送するというステップを実行するステップと、がさらに含まれる
ことを特徴とする健康モニタリングシステムのデータ採集方法。
【請求項６】
前記マイクロモニタリングシステムが、前記インテリジェントモニタリングシステムが完全に起動するか否かを判断するステップには、
前記マイクロモニタリングシステムが前記インテリジェントモニタリングシステムより送信されてきた完全起動信号を受信するか否かを検出するステップと、
前記マイクロモニタリングシステムが前記完全起動信号を受信することを検出した場合、前記インテリジェントモニタリングシステムが完全に起動すると判断するステップと、
前記マイクロモニタリングシステムが前記完全起動信号を受信しないことを検出した場合、前記インテリジェントモニタリングシステムが完全に起動しないと判断するステップと、が含まれる
ことを特徴とする請求項５に記載の健康モニタリングシステムのデータ採集方法。
【請求項７】
前記マイクロモニタリングシステムが前記採集装置により採集された人体データ情報に対して処理を行い、且つ処理した人体データを表示終端に伝送するというステップの後には、
前記採集装置が人体データ情報の採集を引き続き行うか否かを判断するステップと、
前記採集装置が人体データ情報の採集を引き続き行うと判断した場合、前記インテリジェントモニタリングシステムが完全に起動するか否かを前記マイクロモニタリングシステムにて判断するというステップを実行するステップと、
前記採集装置が人体データ情報の採集を引き続き行わないと判断した場合、前記マイクロモニタリングシステムは待機状態に入るステップと、がさらに含まれる
ことを特徴とする請求項５に記載の健康モニタリングシステムのデータ採集方法。
【請求項８】
前記インテリジェントモニタリングシステムが完全に起動するか否かを前記マイクロモニタリングシステムにて判断するというステップの前には、前記健康モニタリングシステムを初期化することがさらに含まれる
ことを特徴とする請求項５に記載の健康モニタリングシステムのデータ採集方法。
【請求項９】
インテリジェントモニタリングシステムとマイクロモニタリングシステムとを含み、そのうち、前記マイクロモニタリングシステムは前記インテリジェントモニタリングシステムに接続され、且つ前記マイクロモニタリングシステムには採集装置が接続され、
前記採集装置は人体データ情報の採集に用いられ、
前記マイクロモニタリングシステムは、前記インテリジェントモニタリングシステムが完全に起動するか否かの判断に用いられ、前記インテリジェントモニタリングシステムが完全に起動すると判断した場合、前記マイクロモニタリングシステムは前記採集装置により採集された人体データ情報を前記インテリジェントモニタリングシステムに伝送し、前記インテリジェントモニタリングシステムが完全に起動しないと判断した場合、前記マイクロモニタリングシステムは前記採集装置により採集された人体データ情報に対して処理を行い、且つ処理した人体データを表示終端に伝送し、
前記マイクロモニタリングシステムには、第１検出モジュール、第１伝送モジュールと第２伝送モジュールが含まれ、前記第１検出モジュールは前記第１伝送モジュールと第２伝送モジュールに接続され、
前記第１検出モジュールは、前記第１検出モジュールが前記インテリジェントモニタリングシステムにより送信されてきた完全起動信号を受信するか否かに用いられ、
前記第１伝送モジュールは、前記第１検出モジュールが前記完全起動信号を受信しないことを前記第１検出モジュールにて検出した場合、前記採集装置により採集された人体データ情報に対して処理を行い、且つ処理した人体データを表示終端に伝送するということに用いられ、
前記第２伝送モジュールは、前記第１検出モジュールが前記完全起動信号を受信したことを前記第１検出モジュールにて検出した場合、前記採集装置により採集された人体データ情報を前記インテリジェントモニタリングシステムに伝送し、
前記マイクロモニタリングシステムには第２検出モジュールがさらに含まれ、前記第２検出モジュールは前記第２伝送モジュールに接続され、
前記第２検出モジュールは、前記第２伝送モジュールが採集装置により採集された人体データ情報を前記インテリジェントモニタリングシステムに伝送した後、前記第２検出モジュールが前記インテリジェントモニタリングシステムにより伝送されてきた待機制御信号を受信するか否かに用いられ、
前記第２検出モジュールが前記待機制御信号を受信することを、前記第２検出モジュールにて検出した場合、前記マイクロモニタリングシステムは待機状態に入り、
前記第２検出モジュールが前記待機制御信号を受信しないことを、前記第２検出モジュールにて検出した場合、第２前記伝送モジュールは採集装置により採集された人体データ情報を引き続き前記インテリジェントモニタリングシステムに伝送する
ことを特徴とする健康モニタリングシステム。
【発明の詳細な説明】
【技術分野】
【０００１】
本発明は、健康モニタリング分野に関しており、特に健康モニタリングシステムおよびそのデータ採集方法に関する。
【背景技術】
【０００２】
人々の生活水準の進歩に伴って、相応の医療健康サービス体系も次第に改善されるとともに、知能操作系統を有する健康モニタリングシステムもそれに伴って生まれた。現在、健康モニタリングシステムは一般的に1つのインテリジェントモニタリングシステムを含み、モニタリングの対象に自身の健康指標を把握させるため、次の段階の正確な診断と治療の便宜を図るため、当該インテリジェントモニタリングシステムは採集された人体データ情報に対して独立して処理を行うことができ、処理した人体データ情報を表示終端に伝送して表示を行うことができる。
【発明の概要】
【発明が解決しようとする課題】
【０００３】
しかし、インテリジェントモニタリングシステムのハード（構造）とソフト（操作系統）は何れも比較的複雑であるため、毎回の起動にあたって長い時間が必要であり、モニタリングの対象は健康指標をリアルタイムで得ることができない。
【０００４】
本発明は、人体の健康指標をリアルタイムで得ることを実現できる健康モニタリングシステムおよびデータ採集方法を提供する。
【課題を解決するための手段】
【０００５】
上記目的を実現するために、本発明はインテリジェントモニタリングシステムとマイクロモニタリングシステムとを含む健康モニタリングシステムを提供し、そのうち、前記マイクロモニタリングシステムは前記インテリジェントモニタリングシステムに接続され、且つ前記マイクロモニタリングシステムには採集装置が接続され、
前記採集装置は人体データ情報の採集に用いられ、
前記マイクロモニタリングシステムは、前記インテリジェントモニタリングシステムが完全に起動するか否かの判断に用いられ、前記インテリジェントモニタリングシステムが完全に起動すると判断した場合、前記マイクロモニタリングシステムは前記採集装置により採集された人体データ情報を前記インテリジェントモニタリングシステムに伝送し、前記インテリジェントモニタリングシステムが完全に起動しないと判断した場合、前記マイクロモニタリングシステムは前記採集装置により採集された人体データ情報に対して処理を行い、且つ処理した人体データを表示終端に伝送する。
【０００６】
好ましくは、前記マイクロモニタリングシステムには、第1検出モジュール、第1伝送モジュールと第2伝送モジュールが含まれ、前記第1検出モジュールは前記第1伝送モジュールと第2伝送モジュールに接続され、
前記第1検出モジュールは、前記第1検出モジュールが前記インテリジェントモニタリングシステムにより送信されてきた完全起動信号を受信するか否かに用いられ、
前記第1伝送モジュールは、前記第1検出モジュールが前記完全起動信号を受信しないことを前記第1検出モジュールにて検出した場合、前記採集装置により採集された人体データ情報に対して処理を行い、且つ処理した人体データを表示終端に伝送するということに用いられ、
前記第2伝送モジュールは、前記第1検出モジュールが前記完全起動信号を受信したことを前記第1検出モジュールにて検出した場合、前記採集装置により採集された人体データ情報を前記インテリジェントモニタリングシステムに伝送する。
【０００７】
好ましくは、前記マイクロモニタリングシステムには第2検出モジュールがさらに含まれ、前記第2検出モジュールは前記第2伝送モジュールに接続され、
前記第2検出モジュールは、前記第2伝送モジュールが採集装置により採集された人体データ情報を前記インテリジェントモニタリングシステムに伝送した後、前記第2検出モジュールが前記インテリジェントモニタリングシステムにより伝送されてきた待機制御信号を受信するか否かに用いられ、
前記第2検出モジュールが前記待機制御信号を受信することを、前記第2検出モジュールにて検出した場合、前記マイクロモニタリングシステムは待機状態に入り、
前記第2検出モジュールが前記待機制御信号を受信しないことを、前記第2検出モジュールにて検出した場合、第2前記伝送モジュールは採用装置により採集された人体データを引き続き前記インテリジェントモニタリングシステムに伝送する。
【０００８】
好ましくは、前記マイクロモニタリングシステムには判断モジュールがさらに含まれ、前記判断モジュールは前記第1検出モジュールと第1伝送モジュールに接続され、
前記判断モジュールは、前記第1伝送モジュールが処理した人体データ情報を表示終端に送信した後、前記採集装置が人体データ情報の採集を引き続き行うか否かを判断するのに用いられ、
前記採集装置が人体データ情報の採集を引き続き行うと判断した場合、前記第1検出モジュールは、前記インテリジェントモニタリングシステムにより送信されてきた完全起動信号を受信するか否かを検出し、
前記採集装置が人体データ情報の採集を引き続き行わないと判断した場合、マイクロモニタリングシステムは待機状態に入る。
【０００９】
好ましくは、前記マイクロモニタリングシステムはシングルチップコンピューターを含み、前記シングルチップコンピューターはI/Oインターフェースにより前記採集装置に接続され、前記シングルチップコンピューターはIICバスまたはSPIバスにより前記インテリジェントモニタリングシステムに接続される。
【００１０】
上記目的を実現するために、本発明は健康モニタリングシステムおよびデータ採集方法を提供する。前記健康モニタリングシステムは、インテリジェントモニタリングシステムとマイクロモニタリングシステムとを含み、前記マイクロモニタリングシステムは採集装置に接続され、当該方法には以下のステップが含まれ、
前記マイクロモニタリングシステムは、前記インテリジェントモニタリングシステムが完全に起動するか否かを判断し、
前記インテリジェントモニタリングシステムが完全に起動すると判断した場合、前記マイクロモニタリングシステムは前記採集装置により採集された人体データ情報を前記インテリジェントモニタリングシステムに伝送し、
前記インテリジェントモニタリングシステムが完全に起動しないと判断した場合、前記マイクロモニタリングシステムは前記採集装置により採集された人体データ情報に対して処理を行い、且つ処理した人体データを表示終端に伝送する。
【００１１】
好ましくは、前記マイクロモニタリングシステムが、前記インテリジェントモニタリングシステムが完全に起動するか否かを判断するステップには以下の内容が含まれ、
前記マイクロモニタリングシステムが前記インテリジェントモニタリングシステムより送信されてきた完全起動信号を受信するか否かを検出し、
前記マイクロモニタリングシステムが前記完全起動信号を受信することを検出した場合、前記インテリジェントモニタリングシステムが完全に起動すると判断し、
前記マイクロモニタリングシステムが前記完全起動信号を受信しないことを検出した場合、前記インテリジェントモニタリングシステムが完全に起動しないと判断する。
【００１２】
好ましくは、前記マイクロモニタリングシステムが採集装置により採集された人体データ情報を前記インテリジェントモニタリングシステムに伝送するステップの後には以下の内容がさらに含まれ、
前記マイクロモニタリングシステムが前記インテリジェントモニタリングシステムにより送信されてきた待機制御信号を受信するか否かを検出し、
前記マイクロモニタリングシステムが前記待機制御信号を受信することを検出した場合、前記マイクロモニタリングシステムは待機状態に入り、
前記マイクロモニタリングシステムが前記待機制御信号を受信しないことを検出した場合、前記マイクロモニタリングシステムが採集装置により採集された人体データ情報を前記インテリジェントモニタリングシステムに伝送するというステップを実行する。
【００１３】
好ましくは、前記マイクロモニタリングシステムが前記採集装置により採集された人体データ情報に対して処理を行い、且つ処理した人体データを表示終端に伝送するというステップの後には、以下の内容がさらに含まれ、
前記採集装置が人体データ情報の採集を引き続き行うか否かを判断し、
前記採集装置が人体データ情報の採集を引き続き行うと判断した場合、前記インテリジェントモニタリングシステムが完全に起動するか否かを前記マイクロモニタリングシステムにて判断するというステップを実行し、
前記採集装置が人体データ情報の採集を引き続き行わないと判断した場合、前記マイクロモニタリングシステムは待機状態に入る。
【００１４】
好ましくは、前記インテリジェントモニタリングシステムが完全に起動するか否かを前記マイクロモニタリングシステムにて判断するというステップの前には、前記健康モニタリングシステムを初期化することがさらに含まれる。
【発明の効果】
【００１５】
本発明は以下の有益な効果がある。
【００１６】
本発明は健康モニタリングシステムと健康モニタリングシステムのデータ採集方法を提供する。当該健康モニタリングシステムはインテリジェントモニタリングシステムとマイクロモニタリングシステムを含んでおり、そのうち、マイクロモニタリングシステムは、インテリジェントモニタリングシステムが完全に起動するか否かの判断に用いられ、インテリジェントモニタリングシステムが完全に起動すると判断した場合、マイクロモニタリングシステムは採集装置により採集された人体データ情報をインテリジェントモニタリングシステムに伝送し、インテリジェントモニタリングシステムが完全に起動しないと判断した場合、マイクロモニタリングシステムは採集装置により採集された人体データ情報に対して処理を行い、且つ処理した人体データを表示終端に伝送する。当該健康モニタリングシステムは、インテリジェントモニタリングシステムは起動過程において人体健康の指標を検出できないという課題を効果的に解決することで、当該健康モニタリングシステムの、人体に対するリアルタイムのモニタリング機能を実現している。
【図面の簡単な説明】
【００１７】
【図１】本発明の実施例により提供された健康モニタリングシステムの構造模式図である。
【図２】本発明の実施例により提供された健康モニタリングシステムのデータ採集方法のフローチャート図である。
【図３】本発明の実施例により提供された健康モニタリングシステムのデータ採集方法のフローチャート図である。
【発明を実施するための形態】
【００１８】
当業者に本発明の技術案をより好ましく理解させるため、以下、図面を組み合わせて、本発明により提供された健康モニタリングシステムおよびそのデータ採集方法について詳しく説明する。
【００１９】
図1は本発明の実施例により提供された健康モニタリングシステムの構造概念図である。図1に示すように、当該健康モニタリングシステムには、インテリジェントモニタリングシステム1とマイクロモニタリングシステム2が含まれ、そのうち、マイクロモニタリングシステム2はインテリジェントモニタリングシステム1に接続され、且つマイクロモニタリングシステム2には採集装置3が接続されている。そのうち、採集装置3は人体データ情報の採集に用いられる。マイクロモニタリングシステム2はインテリジェントモニタリングシステム1が完全に起動するか否かを判断するように配置されている。インテリジェントモニタリングシステム1が完全に起動すると判断した場合、マイクロモニタリングシステム2は採集装置3により採集された人体データ情報をインテリジェントモニタリングシステム1に伝送し、インテリジェントモニタリングシステム1が完全に起動しないと判断した場合、マイクロモニタリングシステム2は採集装置3により採集された人体データ情報に対して処理を行い、且つ処理した人体データ情報を表示終端4に伝送する。モニタリングの対象にリアルタイムで相応の健康指標を提供するために、表示終端4は処理された人体データ情報に応じて表示をする。
【００２０】
そのうち、採集装置3には若干の異なる種類のセンサが含まれることができ、異なる種類のセンサは異なる人体生理データを採集することができる。当該人体生理データは、体温値、血中酸素値、血糖値、血圧値、脈搏値などとされてよい。当該人体生理データは、人体データ情報を構成している。
【００２１】
本発明が提供した健康モニタリングシステムは従来のインテリジェントモニタリングシステム1を基に、マイクロモニタリングシステム2が追加され、当該マイクロモニタリングシステム2には採集装置3が接続されている。当該マイクロモニタリングシステム2は、インテリジェントモニタリングシステム1が起動中の過程にある際、人体データ情報に対して採集、処理と表示を効果的に行うことに用いられ、これにより、効果的に人体に対するリアルタイムのモニタリングを実現している。
【００２２】
本発明におけるマイクロモニタリングシステム2とインテリジェントモニタリングシステム1との相違点は、当該マイクロモニタリングシステム2はデータ伝送機能とデータ処理機能のような簡単な機能を具備するだけでよいため、マイクロモニタリングシステム2のハード構造とソフト構造は何れも比較的簡単であり、これにより当該マイクロモニタリングシステム2の起動速度は比較的速く、エネグギー消費量は極めて低い。ユーザーが当該健康モニタリングシステムを起動する際、マイクロモニタリングシステム2の起動速度は比較的速いため、マイクロモニタリングシステム2は素早く正常の動作状態に入ることができ、この時、インテリジェントモニタリングシステム1は起動中の状態にある。インテリジェントモニタリングシステム1が起動中の状態にある過程において、マイクロモニタリングシステム2は臨時で人体データ情報を処理し、処理した人体データ情報を表示終端４に伝送することで、モニタリングの対象に自身の健康指標をリアルタイムで把握させる。これにより、インテリジェントモニタリングシステム1が起動中の状態にある時、従来技術の健康モニタリングシステムがモニタリングを行うことができないという課題を効果的に解決している。また、インテリジェントモニタリングシステム1が完全に起動した後、当該マイクロモニタリングシステム2はデータ処理を再度行わなくてもよく、データ処理任務が引き続きインテリジェントモニタリングシステム1によって処理され、同時に、インテリジェントモニタリングシステム1は処理した人体データ情報を表示終端4に伝送して表示を行う（後文で詳細を記載する）。
【００２３】
説明すべき点は、好ましい実施例によれば、インテリジェントモニタリングシステム1には人体データ情報を採集するための採集装置が接続されていてもよく（図示しない）、インテリジェントモニタリングシステム1が完全に起動した後、マイクロモニタリングシステム2およびマイクロモニタリングシステム2に接続されている採集装置3は待機状態または完全停止動作の状態にあってもよく、インテリジェントモニタリングシステム1それ自体によってモニタリングの動作を完成するという点である。
【００２４】
本発明において、好ましい案として、当該マイクロモニタリングシステム2には、第1検出モジュール21、第1伝送モジュール22と第2伝送モジュール23が含まれ、第1検出モジュール21は第1伝送モジュール22と第2伝送モジュール23に接続され、第1検出モジュール21は、インテリジェントモニタリングシステム1により送信されてきた完全起動信号を受信するか否かに用いられ、第1伝送モジュール22は、それ自体が完全起動信号を受信しないことを第1検出モジュール21にて検出した場合、採集装置3により採集された人体データ情報に対して処理を行い、且つ処理した人体データを表示終端4に伝送するということに用いられ、第2伝送モジュール23は、それ自体が完全起動信号を受信したことを第1検出モジュール21にて検出した場合、採集装置3により採集された人体データ情報をインテリジェントモニタリングシステム1に伝送する。
【００２５】
本発明において、インテリジェントモニタリングシステム1に対して相応の改善を行うことができ、即ち、インテリジェントモニタリングシステム1が完全に起動した後のある時刻に、マイクロモニタリングシステム2に完全起動信号を送信し、インテリジェントモニタリングシステム1が完全に起動したことの証に用いる。具体的に、インテリジェントモニタリングシステム1が未完全の起動状態にある時、インテリジェントモニタリングシステム1はマイクロモニタリングシステム2に完全起動信号を送信しない。したがって、マイクロモニタリングシステム2における第1検出モジュール21は、完全起動信号を検出しないことにより、インテリジェントモニタリングシステム1がまだ完全に起動していないと判断する。この時、マイクロモニタリングシステム2において第1伝送モジュール22は動作を開始する。インテリジェントモニタリングシステム1が完全に起動した後、ある時刻でインテリジェントモニタリングシステム1はマイクロモニタリングシステム2は完全起動信号を送信する。例えば、インテリジェントモニタリングシステム1はそれが完全に起動した後に、完全起動信号を送信することができ、または、予定の時間を経てから完全起動信号を送信することができる。マイクロモニタリングシステム2における第1検出モジュール21が当該完全起動信号を受信した後、マイクロモニタリングシステム2における第1伝送モジュール22は動作を停止し、マイクロモニタリングシステム2における第2伝送モジュール23は動作を開始する。
【００２６】
このほか、好ましい案として、当該マイクロモニタリングシステム2には判断モジュール25がさらに含まれることができる。判断モジュール25は第1検出モジュール21と第1伝送モジュール22に接続され、第1伝送モジュール22が処理した人体データ情報を表示終端4に送信した後、採集装置3が人体データ情報の採集を引き続き行うか否かを判断するのに用いる。採集装置3が人体データ情報の採集を引き続き行うと判断した場合、第1検出モジュール21は、インテリジェントモニタリングシステム1により送信されてきた完全起動信号を受信するか否かを検出し、採集装置3が人体データ情報の採集を引き続き行わないと判断した場合、マイクロモニタリングシステム2は待機状態に入る。
【００２７】
1つの例示として、第1伝送モジュール22が表示終端4に処理した人体データ情報を伝送する度に、判断モジュール25は採集装置3の人体データ情報の採集を引き続き行うか否かを判断するというのを挙げておく。判断モジュール25はユーザーの希望に応じて判断を行うことができる。具体的に、例えば、マイクロモニタリングシステム2上には相応の「継続」と「継続しない」という判断ボタンが設置されることができる。ユーザーが「継続」のボタンを選択した際、判断モジュール25は、採集装置3が人体データ情報の採集を引き続き行うと判断し、ユーザーが「継続しない」というボダンを選択した際、モジュールは採集装置3が人体データ情報の採集を引き続き行わないと判断し、この時、マイクロモニタリングシステム2全体は待機状態に入る。
【００２８】
このほか、好ましい案として、インテリジェントモニタリングシステム1自体には人体データ情報を採集するための採集装置が独立で接続されている状況で、当該マイクロモニタリングシステム2には第2検出モジュール24がさらに含まれることができる。第2検出モジュール24は第2伝送モジュール23に接続され、第2伝送モジュール23が採集装置3により採集された人体データ情報をインテリジェントモニタリングシステム1に伝送した後、インテリジェントモニタリングシステム1により伝送されてきた待機制御信号を受信するか否かに用いる。それ自体が待機制御信号を受信することを第2検出モジュール24にて検出した場合、マイクロモニタリングシステム2は待機状態に入り、それ自体が待機制御信号を受信しないことを第2検出モジュール24にて検出した場合、第2伝送モジュール23は採用装置3により採集された人体データを引き続きインテリジェントモニタリングシステム1に伝送する。
【００２９】
第2伝送モジュール23が処理しない人体データ情報をインテリジェントモニタリングシステム1に伝送する度に、第2検出モジュール24は、それ自体がインテリジェントモニタリングシステム1により伝送されてきた待機制御信号を受信するか否かを検出することとなる。具体的に、インテリジェントモニタリングシステム1が第1検出モジュール21に完全起動信号を送信した後、当該健康モニタリングシステムは以下の動作モードにあってもよい。即ち、マイクロモニタリングシステム2は採集装置3により採集された人体データをインテリジェントモニタリングシステム1に伝送し、インテリジェントモニタリングシステム1によってデータに対して処理を行い、処理したデータを表示終端4に伝送して表示を行うというものである。しかし、本実施例において、インテリジェントモニタリングシステム1には人体データ情報を採集するための採集装置（図示しない）が独立で接続されているため、インテリジェントモニタリングシステム1は完全起動の後、人体に対するモニタリングを独立で完成できる。上述したマイクロモニタリングシステム2上の採集装置3により人体データ情報を採集し、その後インテリジェントモニタリングシステム1によってデータ処理を行うという動作モードは比較的複雑であるため、本実施例において、インテリジェントモニタリングシステム1は第1検出モジュール21に完全起動信号を送信した後のある時刻に、マイクロモニタリングシステム2に待機信号を送信する。マイクロモニタリングシステム2における第2検出モジュール24が当該待機制御情報を受信した後、マイクロモニタリングシステム2全体は待機状態に入り、インテリジェントモニタリングシステム1はそれに接続されている採集装置を利用することで、マイクロモニタリングシステム2とは別に人体のモニタリングを完成する。
【００３０】
より具体的な例示として、マイクロモニタリングシステム2はシングルチップコンピューターであるというのを挙げておく。当該シングルチップコンピューターはI/Oインターフェースにより採集装置3に接続され、シングルチップコンピューターはIICバスまたはSPIバスによりインテリジェントモニタリングシステム1に接続される。シングルチップコンピューターにおいて対応するプログラムを書き入れることで、シングルチップコンピューターに本実例におけるマイクロモニタリングシステム2の有する機能を実現させることができることを当業者は把握している。説明すべき点は、本実施例におけるシングルチップコンピューターはMSP430系のシングルチップコンピューターであってもよいということである。当該系列のシングルチップコンピューターは動作時の電流消費がuA級のみにあり、待機電流はnA級に達することもでき、これにより、電気エネルギーを効果的に節約している。
【００３１】
本発明の実施例は健康モニタリングシステムを提供する。当該健康モニタリングシステムはインテリジェントモニタリングシステムとマイクロモニタリングシステムを含んでおり、マイクロモニタリングシステムは、インテリジェントモニタリングシステムが完全に起動するか否かの判断に用いられ、インテリジェントモニタリングシステムが完全に起動すると判断した場合、マイクロモニタリングシステムは採集装置により採集された人体データ情報をインテリジェントモニタリングシステムに伝送し、インテリジェントモニタリングシステムが完全に起動しないと判断した場合、マイクロモニタリングシステムは採集装置により採集された人体データ情報に対して処理を行い、且つ処理した人体データを表示終端に伝送する。当該健康モニタリングシステムは、インテリジェントモニタリングシステムは起動過程において人体健康の指標を検出できないという課題を効果的に解決することで、当該健康モニタリングシステムの、人体に対するリアルタイムのモニタリング機能を実現している。
【００３２】
本発明の実施例は健康モニタリングシステムのデータ採集方法をさらに提供し、当該データ採集方法は本発明の実施例に基づく健康モニタリングシステムによるものである。
【００３３】
図2は、本発明の実施例が提供した健康モニタリングシステムのデータ採集方法のフローチャート図である。図2に示すように、当該方法には以下の内容が含まれる。
【００３４】
ステップ101：マイクロモニタリングシステムは、インテリジェントモニタリングシステムが完全に起動するか否かを判断する。
【００３５】
具体的に、ステップ101には、以下の内容が含まれる。
【００３６】
ステップ1011：マイクロモニタリングシステムがインテリジェントモニタリングシステムにより伝送されてきた完全起動信号を受信するか否かと検出する。
【００３７】
そのうち、完全起動信号は、インテリジェントモニタリングシステムが完全起動状態に入った後、ある時刻にインテリジェントモニタリングシステムがマイクロモニタリングシステムに送信した、インテリジェントモニタリングシステムが既に完全起動状態に入ったことを表す信号である。ステップ1011においてマイクロモニタリングシステムが完全起動信号を受信したことを検出する場合、ステップ101はインテリジェントモニタリングシステムが完全に起動すると判断し、ステップ1011においてマイクロモニタリングシステムが完全起動信号を受信しないことを検出する場合、ステップ101はインテリジェントモニタリングシステムが完全に起動しないと判断する。
【００３８】
ステップ1011は上記実施例における第1検出モジュールにより実行することができ、第1検出モジュールについての記述は上記実施例における記述を参照することができるため、ここでは贅言しない。
【００３９】
ステップ101はインテリジェントモニタリングシステムの完全起動を判断する場合、ステップ102を実行する。
【００４０】
ステップ102：マイクロモニタリングシステムは採集装置により採集された人体データ情報をインテリジェントモニタリングシステムに伝送する。
【００４１】
ステップ102は上記実施例における第2伝送モジュールにより実行することができ、具体的には上記実施例における記述を参照することができるため、ここでは贅言しない。
【００４２】
ステップ101はインテリジェントモニタリングシステムが完全起動しないと判断する場合、ステップ103を実行する。
【００４３】
ステップ103：マイクロモニタリングシステムは採集装置により採集された人体データ情報に対して処理を行い、且つ処理した人体データを表示終端に伝送する。
【００４４】
ステップ103は上記実施例における第1伝送モジュールにより実行することができ、具体的には上記実施例における記述を参照することができるため、ここでは贅言しない。
【００４５】
本発明の実施例は健康モニタリングシステムのデータ採集方法を提供する。当該方法は、従来技術においてインテリジェントモニタリングシステムは起動過程において人体健康の指標を検出できないという課題を効果的に解決することで、健康モニタリングシステムの、人体健康指標に対するリアルタイムのモニタリングを実現している。
【００４６】
本発明の実施例は健康モニタリングシステムのデータ採集方法をさらに提供する。当該データ採集方法は健康モニタリングシステムによるものである。当該健康モニタリングシステムは上記実施例における健康モニタリングシステムを用いる。
【００４７】
図3は、本発明の実施例により提供された健康モニタリングシステムのデータ採集方法のフローチャート図である。図3に示すように、当該方法には以下の内容が含まれる。
【００４８】
ステップ200：健康モニタリングシステムに対して初期化を行う。
【００４９】
ステップ201：マイクロモニタリングシステムはインテリジェントモニタリングシステムが完全に起動するか否かを判断する。
【００５０】
ステップ201はマイクロモニタリングシステムにおける第1検出モジュールにより実行することができる。ステップ201の具体的な過程は上記実施例におけるステップ101と同一であり、具体的な内容は上記実施例における記述を参照できるため、ここでは贅言しない。
【００５１】
ステップ201においてインテリジェントモニタリングシステムが完全に起動したと判断した場合、以下のステップ202を実行する。
【００５２】
ステップ202：マイクロモニタリングシステムは採集装置により採集された人体データ情報をインテリジェントモニタリングシステムに伝送する。
【００５３】
ステップ202はマイクロモニタリングシステムにおける第2伝送モジュールにより実行することができる。ステップ202の具体的な過程は上記実施例におけるステップ102と同一であり、具体的な内容は上記実施例における記述を参照できるため、ここでは贅言しない。
【００５４】
ステップ203：マイクロモニタリングシステムがインテリジェントモニタリングシステムにより送信されてきた待機制御信号を受信するか否かを検出する。
【００５５】
本実施例において、マイクロモニタリングシステムは第2検出モジュールをさらに含み、第2伝送モジュールが人体データ情報をインテリジェントモニタリングシステムに伝送した後、それ自体がインテリジェントモニタリングシステムにより送信されてきた待機制御信号を受信するか否かに用いられる。
【００５６】
ステップ203において待機制御信号を検出しない場合、ステップ202を実行し、ステップ203において待機制御信号を検出した場合、ステップ206を実行する。
【００５７】
ステップ201においてインテリジェントモニタリングシステムは完全に起動しないと判断する場合、以下のステップ204を実行する。
【００５８】
ステップ204：マイクロモニタリングシステムは採集装置により採集された人体データ情報に対して処理を行い、且つ処理した人体データを表示終端に伝送する。
【００５９】
ステップ204はマイクロモニタリングシステムにおける第1伝送モジュールにより実行することができる。ステップ202の具体的な過程は上記実施例におけるステップ103と同一であり、具体的な内容は上記実施例における記述を参照できるため、ここでは贅言しない。
【００６０】
ステップ205：採集装置が人体データ情報の採集を引き続き行うか否かを判断する。
【００６１】
本実施例において、マイクロモニタリングシステムは判断モジュールをさらに含み、第1伝送モジュールが人体データ情報を処理し、且つ処理した人体データ情報を表示終端に送信した後、採集装置が人体データ情報の採集を引き続き行うか否かを判断するために用いられる。判断モジュールの具体的な動作過程は実施例における記述を参照することができるため、ここでは贅言しない。
【００６２】
ステップ205は採集装置が人体データ情報の採集を引き続き行うと判断した場合、ステップ201を実行し、ステップ205は採集装置が人体データ情報の採集を引き続き行わないと判断した場合、ステップ206を実行する。
【００６３】
ステップ206：マイクロモニタリングシステムは待機状態に入る。
【００６４】
マイクロモニタリングシステムは待機状態に入った後、健康モニタリングシステム全体の電力消費を効果的に低減できることにより、省エネルギーとなっている。
【００６５】
本発明の実施例は健康モニタリングシステムのデータ採集方法を提供する。当該方法は、従来技術においてインテリジェントモニタリングシステムは起動過程において人体健康の指標を検出できないという課題を効果的に解決することで、健康モニタリングシステムの、人体健康指標に対するリアルタイムのモニタリングを実現している。
【００６６】
理解できるのは、上記実施方法はただ本発明の原理を説明するために採用された例示的な実施方法であるに過ぎず、本発明はこれに限られないということである。本分野の一般的な当業者にとって、本発明の真髄と実質から離れないのであれば、各種類の変形と改善を行ってもよい。これらの変形と改善も本発明の請求範囲と見なす。
【符号の説明】
【００６７】
1  インテリジェントモニタリングシステム
2  マイクロモニタリングシステム
3  採集装置
4  表示終端
【図１】
0006420465.tif 000002
【図２】
0006420465.tif 000003
【図３】
0006420465.tif 000004